(57)【要約】【課題】圧縮されたビデオ及びオーディオ信号もしくはコンピュ−タ用ユ−ザ−デ−タをメディアによって伝送或は記録するシステムにおいて、デ−タ種別による固有の単位での処理を容易とし、同時に記録効率も向上し、更にはビデオ信号の検索を容易にする。【解決手段】圧縮されたビデオ信号のデータストリーム、圧縮されたオーディオデータ信号のデータストリーム、及び独立データのストリームをトランスポ−トパケット化し、そのトランスポ−トパケットデータを、複数集めてメディア固有のセクタを構成する。セクタは２のべき乗値にも概等しくする。また、上記セクタの中に、ピクチャー又は、ピクチャー群の境界が存在するかどうかを示す情報を、メディア固有のフレーム化処理を行う際に、フレーム信号中の副情報部分に記述し、伝送或は記録を行う。【選択図】  図１
2005018981.tif 000002
【特許請求の範囲】
【請求項１】
圧縮されたビデオ信号のデータストリーム、圧縮されたオーディオ信号のデータストリーム、及び独立データのストリームが、各々分割されてパケットの先頭を示すパケットヘッダと前記分割された各ストリームのデータより成るパケットを構成し、
ビデオ信号、オ−ディオ信号、独立デ−タ等のストリ−ムの種別ごとに各パケットをまとめ、
まとめられた各種別ごとのパケットを分割し、トランスポ−トパケットの先頭を示すトランスポ−トパケットヘッダ−と基準時間を付加し、固定長ｎバイト（ｎ：自然数）のトランスポ−トパケットを構成し、
ｍ×ｎが２のべき乗値ｓ（ｓ：自然数）に概等しく、且つ２のべき乗値ｓを下回らないように予め定められたｍ個のトランスポ−トパケット（ｍ：自然数）のデ−タと、セクタ番号等を含んだセクタヘッダ−情報と、セクタ同期信号と、セクタ誤り検出符号を付加してメディア固有のセクタを構成し、
ｐ個（ｐ：自然数）に分割した前記セクタデ−タと、誤り訂正符号と、ｐ（ｐ：自然数）フレ−ムで完結する副情報と、フレ−ム同期信号を付加しメディア固有のフレーム化を行って伝送或いは伝送することを特徴とする情報の伝送或いは記録方法。
【請求項２】
請求項１記載の固定長ｎバイト（ｎ：自然数）のｍ個（ｍ：自然数）のトランスポ−トパケットのデ−タ容量ｍ×ｎに該等しく且つ上回ることが無く、２のべき乗値ｓ（ｓ：自然数）のバイト数の容量を持つデ−タ応用のユ−ザ−デ−タと、セクタ番号等を含んだセクタヘッダ−情報と、セクタ同期信号と、セクタ誤り検出符号を付加してメディア固有のセクタを構成し、
ｐ個に分割した前記セクタデ−タと、誤り訂正符号と、ｐフレ−ムで完結する副情報と、フレ−ム同期信号を付加しメディア固有のフレーム化を行って伝送或いは記録し、
前記副情報は、デ−タ応用のユ−ザ−デ−タであることを示す識別符号を含むことを特徴とする情報の伝送或いは記録方法。
【請求項３】
前記メディア固有のセクタは、請求項２記載のデ−タ容量ｍ×ｎバイトと２のべき乗値ｓバイトの差分に相当する容量の、無効デ−タ或いは主デ−タの付属情報を含むことを特徴とする請求項２記載の伝送或いは記録方法。
【請求項４】
請求項１記載の副情報は、圧縮されたビデオデータのある単位のデータの先頭が、請求項１記載のメディア固有のデータ構造のセクタの中に含まれるかどうかを示す情報を含むことを特徴とする請求項１記載の情報の伝送或いは記録方法。
【請求項５】
圧縮されたビデオデータのある単位とはピクチャー又は、数枚のピクチャーから成るピクチャー群のデータであることを特徴とする、請求項４記載の情報の伝送或いは記録方法。
【請求項６】
請求項１或いは２記載のトランスポ−トパケット容量ｎは１８８バイト、１セクタのトランスポ−トパケット数ｍは１１パケット、２のべき乗値ｓは２０４８であることを特徴とする請求項１或いは２記載の記録方法。
【請求項７】
請求項１或いは２記載の副情報の完結単位ｐは１８であることを特徴とする、請求項６記載の情報の伝送或いは記録方法。
【請求項８】
請求項１或いは２記載のメディア固有のフレ−ムは、１バイトの副情報と、１１６バイトのセクタデ−タと、１２バイトの誤り訂正符号とフレ−ム同期信号から成ることを特徴とする、請求項７載の情報の伝送或いは記録方法。
【請求項９】
請求項１或いは２記載のトランスポ−トパケット容量ｎは１８８バイト、１セクタのトランスポ−トパケット数ｍは２２パケット、２のべき乗値ｓは４０９６バイトであることを特徴とする請求項１或いは２記載の記録方法。
【請求項１０】
請求項１或いは２記載の副情報の完結単位ｐは５０であることを特徴とする、請求項９記載の情報の伝送或いは記録方法。
【請求項１１】
請求項１或いは２記載のトランスポ−トパケット容量ｎは１８８バイト、１セクタのトランスポ−トパケット数ｍは１１パケット、２のべき乗値ｓは２０４８バイト、完結単位ｐは２６であることを特徴とする、請求項１或いは２記載の記録方法。
【請求項１２】
請求項１或いは２記載の副情報は、前記セクタデ−タが、圧縮されたビデオデータあるいは、デ−タ応用のユ−ザ−デ−タであることを示す識別符号を含むことを特徴とする請求項１或いは２記載の情報の伝送或いは記録方法。
【請求項１３】
請求項１２記載の識別符号は前記記録メディアの特定の位置に記録することを特徴とする請求項１２記載の情報の記録方法。
【請求項１４】
請求項１記載の副情報は、圧縮されたビデオデ−タのピクチャー又は、数枚のピクチャーから成るピクチャー群のピクチャ−番号又はピクチャ−群番号のいずれか或いは両者を含むことを特徴とする請求項１２記載の情報の伝送或いは記録方法。
【請求項１５】
外部からのモ−ド設定信号もしくは入力される信号から検出される情報により、入力信号がビデオ信号か、デ−タ応用のユ−ザ−デ−タかを識別するモ−ド識別手段と、
固定長ｎバイト（ｎ：自然数）のトランスポ−トパケットを時系列に入力する手段と、
ｍ個のトランスポ−トパケット（ｍ：自然数）のデ−タと、セクタ番号等を含んだセクタヘッダ−情報と、セクタ同期信号と、セクタ誤り検出符号を付加してメディア特定の容量を持つメディア固有のセクタを構成する第１のセクタ構成手段と、
前記ビデオ信号の、ピクチャー又は、数枚のピクチャーから成るピクチャー群の境界がｍ個のトランスポ−トパケット中に存在するか判定する境界判定手段と、 ２のべき乗のバイト数単位のユ−ザ−デ−タに、デ−タ容量を合わせるためのダミ−デ−タもしくはユ−ザ−デ−タの付属情報と、セクタ番号等を含んだセクタヘッダ−情報と、セクタ同期信号と、セクタ誤り検出符号付加してメディア特定の容量を持つメディア固有のセクタ構成する第２のセクタ構成手段と、
第１もしくは第２のセクタ構成手段の出力をデ−タをｐ個に分割し、誤り訂正符号と、ｐフレ−ムで完結する副情報と、フレ−ム同期信号を付加しメディア固有のフレーム化を行う、フレ−ム構成手段と、
モ−ド識別手段結果と、境界判定結果を含む情報から、ｐフレ−ムで完結する副情報を構成する副情報構成手段と、
モ−ド識別手段の識別結果がビデオ入力であれば、フレ−ム構成手段の入力を第１のセクタ構成手段から選択し、識別結果がユ−ザ−デ−タであれば第２のセクタ構成手段から選択する選択手段とを具備することを特徴とする情報の伝送或いは記録装置。
【請求項１６】
記録するデ−タがビデオ信号ならば、圧縮されたビデオ信号のデータストリーム、圧縮されたオーディオ信号のデータストリーム、及び独立データのストリームが、各々分割されてパケットの先頭を示すパケットヘッダと前記分割された各ストリームのデータより成るパケットを構成し、ビデオ信号、オ−ディオ信号、独立デ−タ等のストリ−ムの種別ごとに各パケットをまとめ、まとめられた各種別ごとのパケットを分割し、トランスポ−トパケットの先頭を示すトランスポ−トパケットヘッダ−と基準時間を付加し、固定長ｎバイト（ｎ：自然数）のトランスポ−トパケットを構成し、予め定められたｍトランスポ−トパケット（ｍ：自然数）のデ−タと、セクタ番号等を含んだセクタヘッダ−情報と、セクタ同期信号と、セクタ誤り検出符号を付加してメディア特定の容量を持つメディア固有のセクタ構成し、
記録するデ−タがデ−タ応用のユ−ザ−デ−タである場合は、２のべき乗のバイト数であるユ−ザ−デ−タに、デ−タ容量を合わせるためのダミ−デ−タと、セクタ番号等を含んだセクタヘッダ−情報と、セクタ同期信号と、セクタ誤り検出符号付加してメディア特定の容量を持つメディア固有のセクタ構成し、
ｐ個に分割した前記セクタデ−タと、誤り訂正符号と、ｐフレ−ムで完結する副情報と、フレ−ム同期信号を付加しメディア固有のフレーム化を行って伝送或いは記録し、
前記副情報は、前記セクタ番号、前記識別符号、ビデオデータを記録或いは伝送する場合は更に、前記ピクチャー又は、数枚のピクチャーから成るピクチャー群の境界の有無を示す符号、前記ピクチャ−番号又は前記ピクチャ−群番号のすべて、或いはいずれかを含み、
伝送或は記録されたデータを受信或は再生して、トランスポ−トパケット或いはデ−タ応用ユ−ザ−デ−タの時系列データを再生する再生方法において、
主情報の再生処理に先立ち、前記副情報の前記識別符号を検出し、識別符号に従って処理を切り換えることを特徴とする情報の再生方法。
【請求項１７】
前記識別符号から受信或いは再生信号がビデオ信号と判断されれば、前記セクタ番号、前記ピクチャ−或いはピクチャ−群の境界の有無を示す符号、前記ピクチャ−番号、前記ピクチャ−群番号の全て或いは一部をもとに検索を行い、ユ−ザ−デ−タと判断されれば、前記セクタ番号をもとに検索することを特徴とする請求項１６記載の再生方法。
【請求項１８】
前記識別符号から受信或いは再生信号がビデオ信号と判断されれば、トランスポ−トパケットに付加された基準時間情報に従って出力時間を調整することを特徴とした請求項１３記載の再生方法。
【請求項１９】
記録するデ−タがビデオ信号ならば、圧縮されたビデオ信号のデータストリーム、圧縮されたオーディオ信号のデータストリーム、及び独立データのストリームが、各々分割されてパケットの先頭を示すパケットヘッダと前記分割された各ストリームのデータより成るパケットを構成し、ビデオ信号、オ−ディオ信号、独立デ−タ等のストリ−ムの種別ごとに各パケットをまとめ、まとめられた各種別ごとのパケットを分割し、トランスポ−トパケットの先頭を示すトランスポ−トパケットヘッダ−と基準時間を付加し、固定長ｎバイト（ｎ：自然数）のトランスポ−トパケットを構成し、予め定められたｍトランスポ−トパケット（ｍ：自然数）のデ−タと、セクタ番号等を含んだセクタヘッダ−情報と、セクタ同期信号と、セクタ誤り検出符号を付加してメディア特定の容量を持つメディア固有のセクタを構成し、
記録するデ−タがデ−タ応用のユ−ザ−デ−タである場合は、２のべき乗のバイト数であるユ−ザ−デ−タに、デ−タ容量を合わせるためのダミ−デ−タもしくはユ−ザ−デ−タの付属情報と、セクタ番号等を含んだセクタヘッダ−情報と、セクタ同期信号と、セクタ誤り検出符号付加してメディア特定の容量を持つメディア固有のセクタ構成し、
ｐ個に分割した前記セクタデ−タと、誤り訂正符号と、ｐフレ−ムで完結する副情報と、フレ−ム同期信号を付加しメディア固有のフレーム化を行って伝送或いは記録し、
前記副情報は、前記セクタ番号、ビデオ入力かデ−タ応用入力かを識別する識別符号、ビデオデータを記録或いは伝送する場合は更に、前記ピクチャー又は、数枚のピクチャーから成るピクチャー群の境界の有無を示す境界識別符号、前記ピクチャ−番号又は前記ピクチャ−群番号のすべて、或いはいずれかを含み、
伝送或は記録されたデータを受信或は再生して、トランスポ−トパケット或いはデ−タ応用ユ−ザ−デ−タの時系列データを再生する再生装置は、
フレ−ム信号の誤り訂正処理等を行うフレ−ム処理手段と、
フレ−ム処理手段出力からセクタヘッダ−、セクタ同期信号の検出、セクタ単位での誤り検出を行うセクタ処理手段と、
フレ−ム単位で付加された副情報を検出する副情報検出手段と、
副情報から前記識別符号を検出する識別符号検出手段と、
副情報から前記境界識別符号を検出する境界識別符号検出手段と、
副情報から前記セクタ番号を検出するセクタ番号検出手段と、
副情報から前ピクチャ−或いはピクチャ−群番号をを検出するＰＣＴ番号検出手段と、
境界識別符号検出手段出力、セクタ番号検出手段出力、ＰＣＴ番号検出手段出力から、識別符号検出手段出力に従って単数或いは複数の出力を選択する選択手段と、
メディアからのデ−タの検索を制御する検索制御手段と、
再生されたセクタデ−タをｍ個のトランスポ−トパケット単位で出力する第１のセクタ出力処理手段と、
再生されたセクタデ−タを２のべき乗の容量単位で出力する第２のセクタ出力処理手段と、
識別符号検出手段の出力にしたがって、セクタ出力処理手段を切り換える切り換え手段を具備したことを特徴とする情報の再生装置。
【発明の詳細な説明】
【技術分野】
【０００１】
本発明は、光学式ディスク等のメディアに、圧縮されたビデオ、オーディオ信号を記録し、再生する装置に関する。
【背景技術】
【０００２】
ビデオ、オーディオ信号の圧縮に関しては、非特許文献１に詳しく述べられている。又、光学式ディスクの例として、非特許文献２に詳しく述べられている。
【０００３】
非特許文献１では、ビデオ、オーディオ信号の圧縮方法及びその多重化方法について述べられている。また非特許文献２では、オ−ディオ信号を記録するＣＤをデ−タ応用に用いたＣＤ−ＲＯＭの信号記録形式について述べられている。しかし、圧縮したビデオ、オ−ディオ信号を記録しても、デ−タ応用としてコンピュ−タ用のユ−ザ−デ−タを記録してもメディアに効率的に記録する方法、また、再生する際の検索方法の容易化については述べられていなかった。
【０００４】
【非特許文献１】藤原洋監修「最新ＭＰＥＧ教科書」１９９４年８月１日アスキ−出版局発行
【非特許文献２】林謙二編著「ＣＤ−オーディオからパソコンへ」１９９０年７月２５日コロナ社発行
【発明の開示】
【発明が解決しようとする課題】
【０００５】
「最新ＭＰＥＧ教科書」に述べられているような１８８バイトのトランスポ−トパケットを持ったデータストリーム形式で圧縮されたビデオ、オーディオ信号をコンピュ−タ用デ−タ記録媒体であるＣＤ−ＲＯＭに記録する場合、ＣＤ−ＲＯＭの１セクタ＝２０４８バイトと、他のコンピュ−タ記録メディア同様メディアの基本的デ−タの容量単位は２のべき乗であり、記録効率を上げるためにユ−ザ−エリア全てに記録すれば、異なるセクタ間に分割されるトランスポ−トパケットが生じるため、再生処理が複雑になり、処理の容易化のために、１セクタに複数個のトランスポ−トパケットを記録し、端数を無効デ−タとすれば記録効率が下がるという問題点がある。また、記録されたＣＤ−ＲＯＭを再生する場合、データストリームを再生し、トランスポ−トパケット及びパケットのヘッダ情報を判断することにより、ピクチャー又は、ピクチャー群の境界を判断することができる。しかし、メディアに信号を記録する場合には、エラー耐性の向上のため、通常メディア固有のインタリーブ処理や誤り訂正符号化処理、及び、同期信号、及び副情報の付加によるフレーム化が行われている。このため、データストリームを再生し、パック及びパケットのヘッダ情報を判断することにより、ピクチャー又は、ピクチャー群の境界を判断したときには、すでにメディアからデータを再生しているピックアップ等の位置がずれてしまっている。このためピクチャー又は、ピクチャー群単位で検索、編集等を行う場合には、ピクチャー又は、ピクチャー群の境界部分のメディア上での位置を見つけるのに複雑な制御が必要になり、この結果、位置検索に時間がかかるという問題がある。
【課題を解決するための手段】
【０００６】
上記問題点は、メディア固有のセクタを構成し、セクタの容量をトランスポ−トストリ−ムの容量の整数倍と、セクタ同期信号と、セクタヘッダ−と、セクタ単位の誤り検出符号の総計に等しくかつ、トランスポ−トストリ−ムの容量の整数倍は２のべき乗に概等しく、上回らない容量とすることにより実現される。
【０００７】
また、複数のトランスポ−トパケットからメディア固有のセクタを構成し、更にセクタデ−タを、メディア固有のデータ構造の最小単位に分割してフレ−ム化して伝送或は記録する際に、メディア固有のフレ−ムの中に、ピクチャー又は、ピクチャー群の境界が存在するかどうかを示す情報及びピクチャ番号もしくはピクチャ群番号を、メディア固有のフレーム化を行う際に、伝送或は、記録を行うフレーム信号中の副情報部分に記述することにより達成される。
【発明の効果】
【０００８】
必ず一定数のトランスポ−トストリ−ムが、セクタ毎に必須のセクタ同期信号と、セクタヘッダ−と、セクタ単位の誤り検出符号が付加されて、メディア固有のセクタが構成されているため、映像信号は効率よくメディアに記録することができる。また、トランスポ−トストリ−ムは、２つのセクタにまたがって分割されることは無いため、再生処理も容易にできる。また、副情報はセクタと同じ周期で完結しており、ピクチャー又は、ピクチャー群単位で検索、編集等を行う場合、メディアから再生された、メディア固有のフレーム信号の中の副情報部分に記述されている、メディア固有のセクタデータの中にピクチャー又はピクチャー群の境界が存在するかどうかを示す情報、ピクチャー又はピクチャー群番号を読み取り、判断を行うことにより、任意のピクチャ−又はピクチャ−群に対して、ピクチャー又はピクチャー群の境界部分を再生するためのメディア上の再生位置を正確にかつ簡単に検出することができる。また、ピクチャ番号これによりピクチャー又はピクチャー群の境界部分のメディア上での位置を見つけるのに複雑な制御が不要になるので、ピクチャー又はピクチャー群の境界部分の高速検索が可能となる。
【発明を実施するための最良の形態】
【０００９】
図１は、本発明の１実施例を示したものであり、情報の伝送或は、記録方法を示したものである。１は、圧縮データのトランスポ−トパケット化処理を示し、２はメディア固有の信号処理を示し、３は、情報を伝送或は記録するメディアを示したものである。４はトランスポ−トパケットのデータをメディア固有のデータ構造（セクタ）にまとめる処理であり、５は誤り検出符号及びセクタヘッダ−の付加、６は誤り訂正符号の付加、インターリーブ等のメディア固有の主となる信号処理、７はトランスポ−トパケットの時系列データをメディア固有のセクタにまとめる際に、各セクタにピクチャー群の境界が含まれるかを示す情報の抽出処理、１０はメディア固有のフレーム信号を生成するフレーム化処理、８はフレーム信号に副情報を付加する処理、９はフレーム信号の各フレームごとに、同期信号を付加する処理、１１は入力信号がビデオ入力かデ−タ応用入力かを識別する識別符号を生成する処理である。以下、図１を用いて、本発明による情報の伝送或は、記録信号の生成方法について、説明する
圧縮データのトランスポ−トパケット化処理１において、圧縮されたビデオデータ、圧縮されたオーディオデータ、及び独立データは、各々独立に、パケットの先頭を示すパケットヘッダが付加されて、パケット化される。次に各パケットは、デ−タの種別ごとに１個以上のパケットが集められたうえで、時系列に分割され、さらにトランスポ−トパケットの先頭を示すトランスポ−トパケットヘッダと基準時間を示す情報が付加されて、１８８バイトのトランスポ−トパケットを構成する。メディア固有の信号処理２においては、まず最初に、トランスポ−トパケットのデータは１１個単位でまとめられ、メディア固有のデ−タの単位である、セクタが構成される。セクタデ−タには、セクタの番号およびセクタデ−タの種別等を示す４バイトのセクタヘッダ−、４バイトの誤り検出符号、セクタ先頭を示す１２バイトのセクタ同期信号が付加され、１セクタは合計で２０８８バイトとなる。この、セクタを構成する時に、ピクチャ−番号あるいはピクチャ−群番号、ピクチャー群の境界が含まれるかを示す情報の抽出処理を行う。セクタ化されたトランスポ−トパケットのデータは、メディア固有の信号処理フォーマットに従って、１１６バイト単位に１８個に分割し、エラー耐性の強化のために、１２バイトの誤り訂正符号の付加、インタリーブ等の信号処理が行われる。次に、この信号処理されたデータを伝送或は記録するために、メディア固有のフレームフォーマットに従ったフレーム化処理が行われる。フレーム化処理においては、メディア固有の信号処理が行われたデータに、１バイトの副情報と、フレームの先頭を示す同期信号が付加されてフレーム信号が生成される。本発明では、副情報は１８バイト単位で完結し、セクタ周期と等しくされ、このフレーム信号の副情報中に、前記の、メディア固有の、どのセクタにピクチャー群の境界が含まれるかを示す情報と、ピクチャ−もしくはピクチャ−群番号と、ビデオ信号を記録するかコンピュ−タ等のデ−タ応用のユ−ザ−デ−タを記録するかを示す識別符号をフレーム化処理時に同時に挿入する。さらに、このフレーム信号にたいし、メディア固有のチャンネルコードが有れば、その変調則に従ったチャンネルコード変調を、無ければそのまま、メディアによりデータの伝送或は記録を行う。以上、本実施例によれば、圧縮されたビデオデータのある単位のデータ（例えば、ピクチャー群）の先頭が、メディア固有のデータ構造の最小単位の中に含まれるかどうかを示す情報を、前記メディア固有のフレーム信号中の主情報を伝送或は記録する領域とは別の、副情報を伝送或は記録する領域を用いて、伝送或は記録することができる。また、必ず１１個のトランスポ−トパケットでセクタが構成され、副情報もセクタも１８フレ−ム単位で完結するため、圧縮したストリ−ムの構成単位とメディアのデ−タ構成の関係が整数の関係となり、再生処理を容易化できる。また、メディアのデ−タ構成単位であるセクタは、複数のトランスポ−トパケットに必要最小限の付属情報を加えた構成であるため、無効エリアが無くメディアへの記録効率が向上できる。
【００１０】
図２は、本発明の別の実施例を示したものであり、情報の伝送或は、記録方法を示したものである。２１は、ユ−ザ−デ−タの入力を示し、２４は入力されたユ−ザ−デ−タを２０４８バイト単位に分割或いは統合する処理を示し、２５は分割或いは統合を行ったユ−ザ−デ−タに固定デ−タなどのダミ−デ−タを付加する処理を示し、２２はメディア固有の信号処理を示し、３は、情報を伝送或は記録するメディアを示したものである。３、５、６、８、９、１１は図１と同一の処理である。以下、図２を用いて、本発明による情報の伝送或は、記録信号の生成方法について、説明する。
【００１１】
ユ−ザ−デ−タの入力処理２１においてコンピュ−タ等からのデ−タが入力され、メディア固有の信号処理２２においては、まず最初に、ユ−ザ−デ−タは２０４８バイト単位に分割され、２０バイトの固定デ−タ（例えばａｌｌ”０”）が付加され１セクタのデ−タは、１１トランスポ−トパケットと等しくしなるようにメディア固有のデ−タの単位であるセクタが構成される。セクタデ−タには、セクタの番号およびセクタデ−タの種別等を示す４バイトのセクタヘッダ−、４バイトの誤り検出符号、セクタ先頭を示す１２バイトのセクタ同期信号が付加され、１セクタは合計で２０８８バイトとなる。セクタ化されたユ−ザ−データは、図１と同様に、メディア固有の信号処理フォーマットに従って、１１６バイト単位に１８個に分割し、エラー耐性の強化のために、１２バイトの誤り訂正符号の付加、インタリーブ等の信号処理、データを伝送或は記録するためのメディア固有のフレームフォーマットに従ったフレーム化処理が行われる。フレーム化処理は図１と同一処理であるが、副情報中に、前記の、メディア固有の、どのセクタにピクチャー群の境界が含まれるかを示す情報と、ピクチャ−もしくはピクチャ−群番号が含まれていない点だけが異なる。さらに、このフレーム信号にたいし、メディア固有のチャンネルコードが有れば、その変調則に従ったチャンネルコード変調を、無ければそのまま、メディアによりデータの伝送或は記録を行う。以上、本実施例によれば、ユ−ザ−デ−タは２０４８バイト単位であるため、現行のＣＤ−ＲＯＭとの互換が容易にとれ、また、図１に示された実施例とセクタ化されたデ−タの処理は共通であるため、同一の記録装置、同一の再生装置で圧縮された映像信号とコンピュ−タ用のデ−タを容易に処理することが可能である。なお、本実施例では、ユ−ザ−デ−タの容量は２０４８バイトであるが、２のべき乗であれば、コンピュ−タ機器の多くが２のべき乗単位でデ−タを扱うため、接続が容易という効果を持つ。また、本実施例ではＣＤ−ＲＯＭのセクタデ−タ容量と、１１トランスポ−トパケットのデ−タ容量を合わせるため、２０バイトの固定デ−タをセクタ単位で付加したが、記録効率を優先してユ−ザ−デ−タを２０６８バイトとしてもよいし、固定デ−タの代わりにセクタの副情報を記録してもよい。
【００１２】
次に、図３を用いて図１及び図２に示す実施例で用いられた、記録フォ−マットの詳細を図３に示し説明する。また、図４にＣＤ−ＲＯＭフォ−マットを示し、図３に示す記録フォ−マットのＣＤ−ＲＯＭフォ−マットとの互換性を説明する。図３において３１はメディア固有のフレ−ムの構成を示しており、ＳＹは処理９で付加されるフレ−ム同期信号、ＳＵＢは処理８で付加される１バイトの副情報、ｍａｉｎは１８個に分割されたセクタデ−タ、Ｃ１及びＣ２は処理６で２重に付加されるそれぞれ６バイトの誤り訂正符号である。３２は１６フレ−ム分の副情報を示し、Ｓ０及びＳ１は１６フレ−ム周期の先頭を示すそれぞれ１バイトの同期信号であり、Ｑ ＣＯＤＥはＣＤ−ＲＯＭと共通の１０バイト（８０ビット）の副情報であり、Ｐ Ｎｏ．は３バイトのピクチャ−もしくはピクチャ−群番号であり、ＰＣＴは圧縮映像かコンピュ−タ応用かを識別する情報とピクチャ−もしくはピクチャ−群の境界が該当セクタにあることを示す情報を含んだ１バイトの符号、ＣＲＣはＳ０，Ｓ１を除いたデ−タに付加された２バイト（１６ビット）の誤り検出符号である。３３は１１６バイトのｍａｉｎデ−タ１８フレ−ムで１セクタを構成することを示す。３４は圧縮した映像信号音声信号を記録する場合の１セクタの構成を示し、３５はコンピュ−タ応用の場合の１セクタの構成を示す。３４、３５ともにＳＹＮＣ，ＨＥＡＤＥＲ，ＥＤＣは共通であり、ＳＹＮＣはセクタの先頭を示す１２バイトの同期信号であり、ＨＥＡＤＥＲはセクタの番号およびセクタデ−タの種別等を示す４バイトのセクタヘッダ−であり、ＥＤＣは４バイトの誤り検出符号である。３４のＰＡＣＫ１からＰＡＣＫ１１は１８８バイトのトランスポ−トパケットを１１個示す。ＵＳＥＲ ＤＡＴＡはコンピュ−タ応用に用いられた場合の２０４８バイトのユ−ザ−デ−タを示し、ＤＵＭＭＹは２０バイトの固定デ−タを示す。一方、現行ＣＤ−ＲＯＭのフォ−マットをしめす図４において、４１はＣＤ−ＲＯＭのフレ−ムの構成を示しており、ＳＹはフレ−ム同期信号、ＳＵＢは１バイトの副情報、ｍａｉｎはセクタデ−タ、Ｃ１及びＣ２はそれぞれ４バイトの誤り訂正符号である。４２は９８フレ−ム分の副情報を示し、Ｓ０及びＳ１は９８フレ−ム周期の先頭を示すそれぞれ１バイトの同期信号であり、Ｐ〜Ｗ ＣＯＤＥはＣＤ−ＲＯＭの各副情報であり、Ｑ ＣＯＤＥは８０ｂｉｔのデ−タとそれに付加された１６ｂｉｔの誤り検出符号から成る。４３は２４バイトのｍａｉｎデ−タ９８フレ−ムで構成される１セクタの構成を示す。４３においてＳＹＮＣはセクタの先頭を示す１２バイトの同期信号であり、ＨＥＡＤＥＲはセクタの番号およびセクタデ−タの種別等を示す４バイトのセクタヘッダ−であり、ＥＤＣは４バイトの誤り検出符号であり、ＵＳＥＲ ＤＡＴＡはコンピュ−タ応用に用いられた場合の２０４８バイトのユ−ザ−デ−タを示し、ＤＵＭＭＹは２０バイトの固定デ−タを示し、ＥＣＣは２７６バイトの誤り訂正符号を示す。
【００１３】
以下図３に示す本発明のフォ−マットに基づく処理の持つ効果について説明する。先ず、３１ではｍａｉｎ，Ｃ１，Ｃ２の合計は１２８バイトであり、４１に示されるＣＤ−ＲＯＭの場合は３２バイトである、従って、符号長を延長することで、符号の冗長度の低下と、デ−タの信頼性の向上を実現させている。同時に、符号長はちょうど４倍となりインタ−リ−ブ処理を行う回路のＣＤ−ＲＯＭとの共通性を備える。つぎに、３２においてＣＤ−ＲＯＭ共通のＱ ＣＯＤＥを記録しＣＤ−ＲＯＭとの互換性を維持した上で、ピクチャ−の検索を容易にする情報と、映像情報かデ−タ応用かを識別する符号を付加して、映像情報の検索を容易にしている。また、ＣＲＣはＣＤ−ＲＯＭと共通の生成多項式を用いることで処理回路の共通性を維持できる構成となっている。なお、ＰＮｏ，ＰＣＴのバイト数は３２に示す通りでなくても上記の効果は得ることができる。つぎに、３４において、１セクタは、ＣＤ−ＲＯＭと共通のＳＹＮＣ，ＨＥＡＤＥＲ，ＥＤＣに整数個（１１個）のトランスポ−トパケットから構成されるため、同期検出、誤り検出処理の回路を大部分ＣＤ−ＲＯＭと共通にできたうえで、圧縮された映像信号を記録エリアを無駄にすること無く効率よく記録できる。また、３４に示されるＵＳＥＲ ＤＡＴＡ容量に対して、１１トランスポ−トパケットの容量は２０バイト多いだけで、ほぼ等しいため、デ−タ応用時にＣＤ−ＲＯＭの１セクタのユ−ザ−デ−タ容量と互換をとっても無駄の少ない記録が可能となる。また、ＣＤ−ＲＯＭでセクタ単位で更に付加されていた誤り訂正符号を付加せず、Ｃ１，Ｃ２の増加で、ＣＤ−ＲＯＭと同等の信頼性を維持した上で、符号効率の向上を実現している。以上、図３に示したフォ−マットにしたがって記録処理を行えば、ＣＤ−ＲＯＭとの共通性が高い上で、圧縮された映像信号の記録に対してもデ−タ応用に対しても、記録エリアの無駄の少ない効率の高い記録が可能となる。
【００１４】
つぎに、図３で示したフォ−マットに対して、他の有効な数値例を図５と図６に示す。図５は１１トランスポ−トパケットで１セクタを構成した例、図６は２２トランスポ−トパケットで１セクタを構成した例である。なお、図３の数値例は図５のＮｏ．１に示される数値例と同一のものである。図５，６において、フレ−ム１（バイト）は図３の３１におけるｍａｉｎのデ−タと誤り訂正符号Ｃ１，Ｃ２の合計のバイト数であり、Ｃ１（バイト）は上記第１の誤り訂正符号Ｃ１のバイト数、Ｃ２（バイト）は上記第２の誤り訂正符号Ｃ２のバイト数、フレ−ム２（バイト）はフレ−ム１のバイト数からＣ１，Ｃ２のバイト数を差し引いたものであり、セクタ（フレ−ム）は１セクタが何個のフレ−ムから構成されるかを示したものであり、セクタ（バイト）はバイト単位で示したものである。なお、誤り訂正符号のバイト数のＣ１，Ｃ２への配分は表に示したものと異なっても本発明は同等の効果を有する。次に、セクタ（パケット）は図３の３４で示される関係を示したもので、１セクタが何個のトランスポ−トパケットで構成されるかを示している。ＳＹＮＣ（バイト），ヘッダ−（バイト），ＥＤＣ（バイト）は図３の３４及び３５のＳＹＮＣ，ＨＥＡＤＥＲ，ＥＤＣのバイト数を示したものである。なお、ＳＹＮＣ（バイト），ヘッダ−（バイト），ＥＤＣ（バイト）の数値配分を換えても表に記載された数値例と同様の効果が得られる。
【００１５】
次に、図７を用いて本発明の別の実施例について説明する。図７は本発明による再生装置について示したものである。本実施例は、図３で示されたデータ構造及びフレームフォーマットを持ったシステムに、本発明の再生装置を適用した場合の実施例である。図７において、５１は光学式ディスク、５２はメディア固有の信号処理部、５３はサブコード判定部、５４はピックアップ制御部、５５はピックアップ、５６はメモリ、５７はメモリの書き込みアドレス発生部、５８は読み出しアドレス発生部、５９はアドレス比較器、６０はトランスポ−トパケットの時系列データの出力時間調整部、６１は基準クロック、６２はメディア固有のクロック、６３はホストコンピュ−タとのインタ−フェ−スを示したものである。
【００１６】
まず、圧縮された映像信号を再生する場合について説明する。ディスク５１から再生されたフレーム信号は、メディア固有の信号処理部５２に入力しフレーム信号中の同期信号をもとにして、サブコードと主情報を分離する。サブコードは、サブコード判定部５３に入力し、圧縮された映像信号かデ−タ応用かの判定を行う。なお、図３において、圧縮された映像信号かデ−タ応用かを識別する符号は各セクタごとに付加されたが、ディスク５１の特定エリア（例えばディスク最内周）のサブコ−ドにディスク５１の全エリア分の識別符号が記録されていれば、前もって、ディスク全体の状況がわかるため、処理は容易化される。映像信号と判定されたあとの処理を以下続ける。まず最初に、高速検索時の動作について説明する。高速検索時において、データの読み取り区間に、ディスク５１から再生されたフレーム信号は、メディア固有の信号処理部５２に入力しフレーム信号中の同期信号をもとにして、サブコードと主情報を分離する。サブコードは、サブコード判定部５３に入力し、ここで、ピクチャー群の境界であるかどうかを判定する。ピクチャー群の境界でない場合にはピックアップ制御部を介してピックアップの高速移動を行い、サブコードによる判定を繰り返す。ピクチャー群の境界である場合には、再生を行う。このようにして、ピクチャー群単位での検索を行うことができる。
【００１７】
次に、検索完了後の再生時の動作について説明する。再生されたフレーム信号は、メディア固有の信号処理部５２に入力し、フレーム信号中の同期信号をもとにして、サブコードと主情報を分離された後、主情報は、誤り訂正、デインタリーブ等の処理が行われ、メディア固有のデータ構造である、セクタ構造のデータが再生される。セクタ構造のデータは、メディア固有のクロックと、基準クロックをもとに発生される書き込みアドレスに従って、メモリ５６に一旦記憶される。メモリに記憶されたデータは、基準クロックをもとに発生される読み出しアドレスに従って、読み出され、トランスポ−トパケット形式のデータは、出力時間調整部６０に入力される。メモリの書き込みアドレスと読み出しアドレスは比較器５９により常に比較され、書き込みアドレス値が、読み出しアドレス値と一定値以上離れると、ピックアップ制御部５４を介してピックアップ５５を制御し、再生の一時停止を行う。パックの時系列データのデータ伝送レートよりも、ディスクからのデータの読み出し速度を常に大きくしておき、かつ上で説明した再生制御を行うことにより、本再生装置の出力が接続されるトランスポ−トパケット構成のデータのデコード装置との間でのデータの過不足を吸収することができる。メモリから読み出されたデータは、トランスポ−トパケット形式のデータの出力時間調整部において、時間軸上の補正が行われる。トランスポ−トパケット形式のデータの出力時間調整部においては、メモリから読み出されたデータのトランスポ−トパケットに記述されている基準時間にしたがって、時間軸補正される。
【００１８】
次に、デ−タ応用の場合の再生動作について説明する。映像信号を再生する場合と同様に、サブコード判定部５３で、圧縮された映像信号かデ−タ応用かの判定を行う。再生されたフレーム信号は、メディア固有の信号処理部５２に入力し、フレーム信号中の同期信号をもとにして、サブコードと主情報を分離された後、主情報は、誤り訂正、デインタリーブ等の処理が行われ、メディア固有のデータ構造である、セクタ構造のデータが再生される。ホストインタ−フェ−ス６３は、ホストからのデ−タの要求にしたがって、書き込みアドレスの先頭および最終、読みだしアドレスの先頭及び最終を指示するなどの制御を行う。セクタ構造のデータは、メディア固有のクロックと、基準クロックをもとに、ホストインタ−フェ−スの要求に従って発生される書き込みアドレスに従って、メモリ５６に一旦記憶される。メモリに記憶されたデータは、基準クロックをもとにホストインタ−フェ−スの要求に従って発生される読み出しアドレスに従って、読み出され、ホストインタ−フェ−スを経由して、ホストに送られる。検索は、サブコ−ドが、ＣＤ−ＲＯＭと共通のＱコ−ドを持知、１セクタのユ−ザ−デ−タの容量も２０４８バイトと共通であるため、ＣＤ−ＲＯＭと共通のシ−ケンスで容易に行える。
【００１９】
以上、本実施例によれば、ピクチャー群の境界を高速に検索することができ、圧縮された映像信号もデ−タ応用の記録も記録エリアを有効利用したディスクの再生が可能である、再生装置を構成することができるという効果がある。
【図面の簡単な説明】
【００２０】
【図１】本発明による情報の伝送或は、記録方法を示す図。
【図２】本発明による情報の伝送或は、記録方法を示す図。
【図３】本発明による情報の伝送或は、記録方法に用いるフォ−マット図。
【図４】情報の伝送或は、記録方法に用いる従来のフォ−マット図。
【図５】本発明の情報の伝送或は、記録方法に用いるフォ−マットの数値例。
【図６】本発明の情報の伝送或は、記録方法に用いるフォ−マットの数値例。
【図７】本発明による情報の再生装置。
【符号の説明】
【００２１】
２…メディア固有の信号処理部、３…メディア記録処理部、４…トランスポ−トパケットの統合処理部、７…ピクチャー群の境界を示す情報の抽出部、８…副情報の付加部、５１…光学式ディスク、５２…メディア固有の信号処理部、５３…サブコード判別部、５４…ピックアップ制御部、５５…ピックアップ、５６…メモリ、６０…出力時間調整部、６３…ホストインタ−フェ−ス
【図１】
2005018981.tif 000003
【図２】
2005018981.tif 000004
【図３】
2005018981.tif 000005
【図４】
2005018981.tif 000006
【図５】
2005018981.tif 000007
【図６】
2005018981.tif 000008
【図７】
2005018981.tif 000009
【手続補正書】
【提出日】平成16年8月30日(2004.8.30)
【手続補正２】
【補正対象書類名】特許請求の範囲
【補正対象項目名】全文
【補正方法】変更
【補正の内容】
【特許請求の範囲】
【請求項１】
圧縮されたビデオデータおよび基準時間情報を含む固定長のトランスポートパケットを複数個集めたダミーデータを有さない固定長の単位を複数記録したディスクの再生方法であって、
前記基準時間情報を検出するステップと、
該基準時間情報が示す時間に前記トランスポートパケットを出力時間調整して出力するステップと、
を実施することを特徴とするディスク再生方法。
【請求項２】
請求項１に記載のディスク再生方法であって、
前記圧縮されたビデオデータとは、数枚のピクチャーからなるピクチャー群の一部を圧縮したデータであり、
前記ディスクには、ピクチャー群の先頭のピクチャーが前記固定長の単位中に存在するかどうかを示す情報が記録されており、
該先頭のピクチャーが存在するかを示す情報を検出するステップと、
該先頭のピクチャーが存在するかを示す情報が示す前記固定長の単位を識別するステップと、
識別された固定長の単位を選択し先頭のピクチャーを再生するステップと、
を実施することを特徴とするディスク再生方法。
【請求項３】
圧縮されたビデオデータおよび基準時間情報を含む固定長のトランスポートパケットを複数個集めたダミーデータを有さない固定長の単位を複数記録したディスクを再生するディスク再生装置であって、
前期基準時間情報を検出する基準時間情報検出手段と、
該基準時間情報が示す時間に前記トランスポートパケットを出力時間調整して出力する出力時間調整手段と、
を実施することを特徴とするディスク再生装置。
【請求項４】
請求項３に記載の光ディスク装置において、
前記圧縮されたビデオデータとは、数枚のピクチャーからなるピクチャー群の一部を圧縮したデータであり、
前記ディスクには、ピクチャー群の先頭のピクチャーが前記固定長の単位中に存在するかどうかを示す情報が記録されており、
該先頭のピクチャーが存在するかを示す情報を検出する検出手段と、
該先頭のピクチャーが存在するかを示す情報が示す前記固定長の単位を識別する識別手段と、
識別された固定長の単位を選択し先頭のピクチャーを再生する再生手段と、
を具備することを特徴とするディスク再生装置。